(57)【特許請求の範囲】
【請求項１】
携帯可能な筐体に画像表示部を設けるとともに当該画像表示部を覆う蓋を設け、前記画像表示部に表示される表示データと当該表示データに関連するオーディオデータの出力を制御する情報閲覧装置であって、
前記蓋の開閉を検出する蓋開閉検出手段と、
前記表示データを前記画像表示部に表示する表示制御手段と、
前記蓋の閉じられたことが前記蓋開閉検出手段によって検出された場合、前記蓋の閉じられたことが検出された時に表示されていた前記表示データに関連するオーディオデータの再生を開始するオーディオ再生手段と
を備えたことを特徴とする情報閲覧装置。
【請求項２】
前記オーディオデータの再生が開始される時に、前記表示制御手段による前記画像表示部への表示データの表示が停止することを特徴とする請求項１に記載の情報閲覧装置。
【請求項３】
前記表示データの表示が停止された時に、前記画像表示部への電源の供給が停止されることを特徴とする請求項２に記載の情報閲覧装置。
【請求項４】
前記表示データと前記オーディオデータとの関連を示すリンク情報を再生するリンク情報再生手段を設けたことを特徴とする請求項１に記載の情報閲覧装置。
【請求項５】
前記蓋の開閉が検出された時に表示されていた表示データと前記リンク情報とに基づいて、前記蓋の開閉が検出された時に表示されていた表示データと関連する位置から、前記オーディオデータの再生を開始することを特徴とする請求項４に記載の情報閲覧装置。
【請求項６】
前記表示制御手段は、
前記リンク情報再生手段により再生されるリンク情報に基づいて、前記蓋開閉検出手段により蓋の開閉が検出されたときに再生されていたオーディオデータに関連する表示データから前記画像表示部に表示を開始することを特徴とする請求項４に記載の情報閲覧装置。
【請求項７】
前記蓋が開かれたことを、前記蓋開閉検出手段が検出したときに、前記画像表示部への前記表示データの表示が開始されることを特徴とする請求項６に記載の情報閲覧装置。
【請求項８】
前記画像表示部への前記表示データの表示が開始されるときに、前記オーディオ再生手段による前記オーディオデータの再生が停止することを特徴とする請求項７に記載の情報閲覧装置。
【請求項９】
前記情報閲覧装置は、
前記オーディオデータの再生を開始させるための指示を入力するための操作手段を設け、
前記オーディオデータの再生が停止しているときに、前記オーディオデータを再生させるための指示が前記操作手段によって入力された場合には、前記オーディオデータの再生を開始することを特徴とする請求項１に記載の情報閲覧装置。
【請求項１０】
前記情報閲覧装置は、
前記表示データ又は前記オーディオデータの再生の再開位置を示す再生再開位置情報を保持するための再生再開位置情報保持手段を備え、
前記表示データ又は前記オーディオデータの再生の再開が指示された場合には、前記再生再開位置情報に基づいて、前記表示データ又は前記オーディオデータの再生を再開することを特徴とする請求項１に記載の情報閲覧装置。
【請求項１１】
前記情報閲覧装置は、
前記オーディオ再生手段により再生されるオーディオデータを出力するための外部オーディオ装置を接続するための接続手段と、
前記接続手段に前記外部オーディオ装置が接続されたことを検出する接続検出手段とを備え、
前記接続検出手段が前記外部オーディオ装置の接続を検出しないときに、前記オーディオデータの再生が指示された場合には、前記オーディオデータの再生を行なわないことを特徴とする請求項１に記載の情報閲覧装置。
【請求項１２】
前記情報閲覧装置は、
前記情報閲覧装置の電源を制御する電源制御手段を備え、前記電源制御手段は、前記オーディオデータの再生が停止された後に、前記情報閲覧装置の電源をＯＦＦにすることを特徴とする請求項１１に記載の情報閲覧装置。
【請求項１３】
前記情報閲覧装置は、
前記オーディオ再生手段により再生される前記オーディオデータを出力するためのオーディオ出力手段と、前記オーディオ再生手段により再生されるオーディオデータが出力される外部オーディオ装置を接続するための接続手段とを備え、
前記オーディオ手段による前記オーディオデータの出力が禁止されている場合には、前記オーディオ再生手段から再生されるオーディオデータの出力が前記接続手段に対してのみ行なわれることを特徴とする請求項１に記載の情報閲覧装置。
【請求項１４】
画像表示部と当該画像表示部を覆う蓋とが設けられた携帯可能な筐体の情報閲覧装置において、前記画像表示部に表示される表示データと前記表示データに関連するオーディオデータとの出力を制御する方法であって、
前記画像表示部に、ユーザの操作に基づいて前記表示データを表示するステップと、
前記表示データの表示中に前記蓋が操作されたことを検出するステップと、
前記蓋が閉じられたことを検出したときに前記画像表示部に表示されている前記表示データに関連する前記オーディオデータを検索するステップと、
前記検索したオーディオデータを再生するステップと、
を備えたことを特徴とする情報出力制御方法。
【請求項１５】
前記オーディオデータの再生が開始された場合には、前記画像表示部への表示データの表示が停止することを特徴とする請求項１４に記載の情報出力制御方法。
【請求項１６】
前記オーディオデータの再生の開始前に、スピーカからの再生が禁止されているか否かを示す再生禁止情報を検索し、前記再生禁止情報が検出された場合には前記オーディオデータの再生を抑止するステップと、
を備えたことを特徴とする請求項１４に記載の情報出力制御方法。
【発明の詳細な説明】
【０００１】
【発明の属する技術分野】
本発明は、表示データと当該表示データに関連するオーディオデータとを、筐体の蓋の開閉に関連付けて切り替えて再生する情報閲覧装置および情報出力制御方法に関する。
【０００２】
【従来の技術】
小説などの本を例えば電車の中等で読む場合は、本をバッグ等に入れて持ち運び、電車の中で一方の手の上で広げて他方の手でページをめくることになる。しかし、電車の中が混んでいる場合は、ページをめくる動作すらできないことがある。
【０００３】
このため、ページをめくる動作をすることなく次のページを順次に表示することができる情報閲覧装置が開発されている。従来の情報閲覧装置の構造を図１６に示す。情報閲覧装置１は一対の本体２ａ，２ｂをヒンジ３を介して回動自在に結合することにより開閉自在に構成されている。本体２ａ，２ｂにおける反ヒンジ側には図示しない磁石が埋設され、情報閲覧装置を閉じた状態が保持されるようになっている。本体２ａ，２ｂの内側の対向面にはディスプレイ４ａ，４ｂが夫々形成されている。
【０００４】
図１６（ｃ）に示すように情報閲覧装置を開いた状態で本を開いた場合と同様にしてディスプレイ４ａ，４ｂに文字を表示させることができ、図示しないスイッチを操作することで、ページをめくるのと同様にしてディスプレイ４ａ，４ｂに新しいページを順次に表示させることができる。
【０００５】
【発明が解決しようとする課題】
ところが、単に文字を読むだけのことを連続して長い時間行なうと、目が疲れてしまうという問題がある。
【０００６】
そこで本発明は、斯かる課題を解決した情報閲覧装置および情報出力制御方法を提供することを目的とする。
【０００７】
【課題を解決するための手段】
本発明の情報閲覧装置は、携帯可能な筐体に画像表示部を設けるとともに当該画像表示部を覆う蓋を設け、前記画像表示部に表示される表示データと当該表示データに関連するオーディオデータの出力を制御する情報閲覧装置であって、前記蓋の開閉を検出する蓋開閉検出手段と、前記表示データを前記画像表示部に表示する表示制御手段と、前記蓋の閉じられたことが前記蓋開閉検出手段によって検出された場合、前記蓋の閉じられたことが検出された時に表示されていた前記表示データに関連するオーディオデータの再生を開始するオーディオ再生手段とを備える。
本発明の情報出力制御方法は、画像表示部と当該画像表示部を覆う蓋とが設けられた携帯可能な筐体の情報閲覧装置において、前記画像表示部に表示される表示データと前記表示データに関連するオーディオデータとの出力を制御する方法であって、前記画像表示部に、ユーザの操作に基づいて前記表示データを表示するステップと、前記表示データの表示中に前記蓋が操作されたことを検出するステップと、  前記蓋が閉じられたことを検出したときに前記画像表示部に表示されている前記表示データに関連する前記オーディオデータを検索するステップと、前記検索したオーディオデータを再生するステップとを含む。
【０００８】
【発明の実施の形態】
以下、本発明による情報閲覧装置および情報出力制御方法の実施の形態を説明する。なお、従来と同一部分には同一符号を付して説明する。
【０００９】
(ａ)実施の形態１
図１に示すように、実施の形態１では本体(筐体，蓋)２ａ，２ｂが逆台形の形状となっており、本体２ｂに対して本体２ａを相対的に回動自在にするためのヒンジ３ａ，３ｂがディスプレイ（画像表示部）４ａ，４ｂを挟むようにして上部、下部に分離して設けられている。これは、一対のディスプレイ４ａ，４ｂの間にヒンジが介在しないようにすることにより、あたかも一対のディスプレイ４ａ，４ｂが連続しているように見せるためである。ディスプレイ４ａ，４ｂ間にヒンジが存在しないことから、ディスプレイ４ａとディスプレイ４ｂとの端部どうしが直接に対向し、一枚のディスプレイのように見える。
【００１０】
本情報閲覧装置においては、ディスプレイ４ａ，４ｂに表示された文字(表示データ)に対応するオーディオ信号を出力するオーディオ出力部(オーディオ再生手段)（図７に符号５１で示す）が設けられている。選択される本のソフトとしてはテキストデータとオーディオデータとがセットになったものが用いられ、夫々のデータはブロックデータとして複数に分割されるとともに、同一内容の部分は相互にリンクされている。
【００１１】
本体２ａ，２ｂにおけるディスプレイ４ａ，４ｂを設けた面には情報閲覧装置を閉じた状態に保持する図示しないマグネットが設けられ、また、情報閲覧装置が開閉したことを検出する蓋開閉検出部（蓋開閉検出手段）（図７に符号５４示す）が設けられている。
【００１２】
そして、本体２ａ，２ｂを開くと、開閉したことを検出する蓋開閉検出部５４の作用によりディスプレイ４ａ，４ｂが表示される。オーディオ出力部５１が動作するための条件は、情報閲覧装置１が開いた状態から閉じた状態になったことを蓋開閉検出部５４が検出したとき、又は閉じた状態を検出してかつ図４〜図６に示す出力スイッチ１９(操作手段)をＯＮにしたときの２つの中から、いずれかに設定することができる。
【００１３】
情報閲覧装置１を開くことなく、閉じた状態から出力スイッチ１９により読上モードで読み上げてもらう場合には情報閲覧装置１の外部に本の題名を表示しなければならないので、図１１に示すように本体２ｂの外面にサブディスプレイ１７が設けられている。
【００１４】
これらのディスプレイ４ａ，４ｂに表示する画面を操作してページの送り又は戻しを行うために、図２に示すようにヒンジ一体形のシーソータイプの送りスイッチ６が設けられている。送りスイッチ６はヒンジ３ｂの軸７に回動自在に支持されている。即ち、以下のようになっている。本体２ａの下端にリング状の軸受８が固着され、軸受８とヒンジ３ｂとにわたって支持軸７が設けられている。そして、本体２ａ，２ｂにおける支持軸７のまわりを切り欠くことによって切欠部９ａ，９ｂが形成されている。図３（ａ），（ｂ）からわかるように、切欠部９ａ，９ｂは本体２ａ，２ｂにおける表示面から端面へと形成されている。これは、支持軸７の軸方向の各位置での半径寸法は情報閲覧装置１の下へ向かうにつれて大きくなるが円周方向では同一寸法となるように切り欠いたものである。そして、切欠部９ａ，９ｂに収容された送りスイッチ６が支持軸７に回動自在に支持されている。送りスイッチ６は切欠部９ａ，９ｂ内で１８０度回動することができ、情報閲覧装置を閉じた図３（ａ）の状態から送りスイッチ６を１８０度回動させると、図３（ｂ），図４に示すように送りスイッチ６を外側へ露出させることができ、情報閲覧装置１を閉じた状態での送りスイッチ６の操作が可能になる。
【００１５】
送りスイッチ６の表面は図５のようになっている。１０はシーソー部であり、送り部１０ａを押すたびにディスプレイ４ａ，４ｂに表示されるページの数値が増える一方、戻し部１０ｂを押すたびに表示されるページの数値が減る。１０ｃは「読み上げ開始」と「読み上げ中止」とを行うためのスタート・ストップボタンである。送りスイッチ６は回動自在なので、送りスイッチ６と本体２ａ，２ｂとはヒンジ３ｂの内部にフレキシブル配線を通した構造や、ヒンジ３ｂ自体がロータリースイッチのような構造になっている。
【００１６】
送りスイッチ６としては、図６に示すダイヤルタイプのものを用いることもできる。送りスイッチ６にはダイヤル１１が回動自在に設けられ、図中の左方へ回動させると表示されるページの数値が増える一方、右方へ回動させるとページの数値が減る。またダイヤル１１の全体をプッシュすると、図５のスタート・ストップボタン１０ｃと同一の作用を行う。
【００１７】
送りスイッチとしてはこのほか、ローラタイプなどのものを用いることができる。
【００１８】
情報閲覧装置１には、このほかに以下のようなものが設けられている。図７に示す情報閲覧装置の構成図に基づいて説明する。情報閲覧装置の内部にはＣＰＵ（Ｃｅｎｔｒａｌ  Ｐｒｏｃｅｓｓｅｒ  Ｕｎｉｔ）４１とＲＯＭ（Ｒｅａｄ  Ｏｎｌｙ  Ｍｅｍｏｒｙ）４２とＲＡＭ（Ｒａｎｄｏｍ  Ａｃｃｅｓｓ  Ｍｅｍｏｒｙ）４３とが内蔵されている。
【００１９】
不揮発性メモリ５０は、種々の設定値や、情報閲覧装置１の電源が作業の途中で切られた場合においても記憶すべきデータ等を記憶するための部分であり、例えばフラッシュメモリや電池でバックアップされたＲＡＭによって構成されている。
【００２０】
コンテンツ記憶用ストレージ５５は、着脱可能メモリ４６が図１の着脱メモリインターフェース１２に装着されていない状態においてもコンテンツを再生できるようにするために情報閲覧装置１にコンテンツを保持しておくための記憶媒体であって、例えば不揮発性メモリや、ハードディスク等に代表される磁気ディスクや、光磁気ディスク等で構成される。
【００２１】
オーディオ出力部(オーディオ再生手段)５１は、画像によって表示されているコンテンツに関連するオーディオデータであって、本実施の形態では特に本の読み上げオーディオ等をスピーカ(オーディオ出力手段)５３やヘッドホン端子(接続手段)１８に接続された図示しないヘッドホン(外部オーディオ装置)へ出力するための部分である。オーディオ出力部５１は、ヘッドホン端子１８にヘッドホンが接続されていることをヘッドホン検出部(接続検出手段)５２が検出した場合にはヘッドホン端子１８へ再生オーディオ信号を出力する一方、スピーカ５３へは出力しないように、入出力インターフェース(オーディオ制御手段)４７によって制御される。また、コンテンツが「スピーカ出力禁止(禁止データ)」に予め設定されていた場合や、ユーザーの設定によって「スピーカ出力禁止」に予め設定されていた場合には、ヘッドホン検出部５２の検出結果に拘らずスピーカ５３への出力を抑制してヘッドホン端子へのみ出力するように、入出力インターフェース４７によってオーディオ出力部５１が制御される。なお、オーディオ出力部５１の制御は、ＣＰＵ４１による制御が入出力インターフェース４７を介して行なわれるようにしてもよい。
【００２２】
図７において液晶ドライブ(表示制御手段)４４によって駆動される液晶表示素子４５は前記ディスプレイ４ａ，４ｂ及び図１１のサブディスプレイ１７を示しており、ディスプレイ４ａ，４ｂ等に文字を表示するためのコンテンツソフトウエアが入力された着脱可能メモリ４６を挿入する着脱メモリインターフェース１２が本体２ｂの上面に設けられている。この着脱可能メモリ４６としては、例えばフラッシュメモリカードの一種であるメモリステイック，スマートメディア，ＳＤカード，コンパクトフラッシュカード，ＰＣカードメモリ等があり、メモリースティックを含む夫々の名称は商標名である。更には小形のディスク記録媒体等を内部に備え、前記各メモリと略同一の形状とした記憶媒体であってもよい。また、着脱可能メモリ４６からではなく、パーソナルコンピュータ等からコンテンツソフトウエアをダウンロード等するために、図７の通信部４８としての接続端子１３が図１のように本体２ｂの下面に設けられている。着脱メモリインターフェース１２に装着された着脱可能メモリ４６および又は通信部４８を通して外部の装置からダウンロードされるコンテンツは、コンテンツ記憶用ストレージ５５に記憶されて使用される。また、通信部４８を通して外部の装置からダウンロードされるコンテンツは、着脱メモリインターフェース１２に装着された着脱可能メモリ４６に記憶されて使用されることも可能である。本体２ａ，２ｂには内部バッテリ（図７に符号５８で示す）が内蔵されており、この接続端子１３は後述する充電用の外部電源接続端子５７を兼用するようになつている。ディスプレイ４ａ，４ｂに表示する文字のフォントや大きさその他の設定を行うために、図７の入力部４９としてのファンクションスイッチ１４が図１のように本体２ａの上面に設けられている。このファンクションスイッチ１４はシーソー式で右又は左を押すことによって設定を変更することができる。図１（ｄ）に示すように本体２ｂの側面にはパワースイッチ１５が設けられ、図１（ｃ）に示すように本体２ａの下面にはヘッドホン端子１８が設けられている。更には、入力部４９として、図５に示された送り部１０ａ，戻り部１０ｂ，スタート・ストップボタン１０ｃ，出力スイッチ１９が設けられている。
【００２３】
図７のパワーコントロール５６には内部バッテリ５８と外部電源接続端子５７とが接続されており、装置内部へ送りこむエネルギーとして安定化された電源の供給を行っている。外部電源接続端子５７から所定の電圧と電流とが供給されている場合であって、装置の電源がＯＮの状態では、装置内に所定の安定した電力を供給すると共に内部バッテリ５８への充電が行なわれるように、パワーコントロール５６が制御する。また、外部電源接続端子５７から所定の電圧と電流とが供給されている場合であって、装置の電源がＯＦＦの状態では、内部バッテリ５８への充電が行なわれるように、パワーコントロール５６が制御する。ただし、内部バッテリ５８への充電は、内部バッテリ５８が充電を必要としている蓄電量になっている間のみ行なわれる。外部電源接続端子５７へ所定の電力が供給されていない場合であって、装置の電源がＯＮの状態では、装置の各ブロックで必要とする所定の電源を内部バッテリ５８から生成して供給するように、パワーコントロール５６が制御する。装置の電源がＯＦＦの状態であっても、内部バッテリ５８の蓄電残量が所定の値以上である場合には、ＣＰＵ４１の所定ブロックのみが動作可能な電力をＣＰＵ４１に供給するように、パワーコントロール５６が制御する。これは電源がＯＦＦにされた状態であっても、ユーザが電源スイッチなどを操作することによって装置の電源をＯＮにするための監視が、ＣＰＵ４１には必要なためである。更に、ＣＰＵ(電源制御手段)４１からの電源のＯＮ・ＯＦＦ制御信号に基づいて、パワーコントロール５６は装置への電源の供給の開始および停止を行なう。
【００２４】
次に、斯かる情報閲覧装置の作用を、図８，図９のフローチャートおよび図１０のコンテンツファイル内のデータ配置マップ図に基づいて説明する。ここで、図８の下部と図９の上部とに書かれた番号は、同じ番号どうしがつながっていることを意味する。
【００２５】
まず、図１０（ａ）（ｂ）のコンテンツファイル内のデータ配置マップ図について説明する。コンテンツファイルは、図１０（ａ）に示したようにファイル属性記憶領域６１，アドレスリンクテーブルアドレス６２，本文ブロック(表示データ記憶手段)６３，オーディオブロック(オーディオデータ記憶手段)６４，アドレスリンクテーブル(リンク情報記憶手段，リンク情報再生手段)６５を備えている。
【００２６】
次に、前記の各領域について説明する。本文ブロック６３には、所定の記録容量単位毎にブロック化されて本文データが記憶されている。そして、夫々の本文データに関連したオーディオデータが存在し、オーディオデータとしてオーディオブロック６４に備えられている。この本文データとオーディオデータとの関連性がリンク情報としてアドレスリンクテーブル６５に備えられている。更にアドレスリンクテーブル６５がコンテンツファイル内のどの部分に記憶されているかを指し示すインデックスデータとして、アドレスリンクテーブルアドレス６２が備えられている。そしてコンテンツファイル全体に対する属性を定義するデータとして、ファイル属性記憶領域６１が備えられている。
【００２７】
本文ブロック６３の本文データとしては、例えば２ｋＢｙｔｅをサブブロックとして本文データ１，本文データ２，・・・，本文データｎに分割されて備えられている。この分割の単位は必ずしも２ｋＢｙｔｅに限定されるものではなく、文章の章や段落単位といった可変長データであっても構わない。
【００２８】
オーディオブロック６４に備えられているオーディオデータは、本文データの夫々に関連するオーディオデータであり、例えば本文データを読上げた音声データなどがある。この音声データは例えばリニアＰＣＭ（Ｐｕｌｓ  Ｃｏｄｅ  Ｍｏｄｕｌａｔｉｏｎ）オーディオ信号，ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ），出願人による登録商標であるＡＴＲＡＣ（Ａｄｖａｎｃｅｄ  ＴＲｒａｎｓｆｏｒｍ  Ａｃｏｕｓｔｉｃ  Ｃｏｄｉｎｇ），あるいはＭＰ３（ＭＰＥＧ  Ａｕｄｉｏ  Ｌａｙｅｒ−３）等の圧縮オーディオファイルであってもよい。
【００２９】
アドレスリンクテーブル６５には、本文データとオーディオデータとがリンクされる関係を示すリンク情報が記憶され、例えばアドレスリンクテーブル６５のアドレスリンク情報のうちの最初のデータであるＡＤＲｔ１：ＡＤＲａ１には本文データ１が記録されたサブブロックの先頭アドレスと、オーディオデータ１が記録されたサブブロックの先頭アドレスとが所定の形式で記録されている。このアドレスリンクテーブル６５をアクセスすることによって、本文データとオーディオデータとの関係が、本文データからもオーディオデータからも検索することが可能である。そして、この検索を行なうために、アドレスリンクテーブル６５をコンテンツファイルから検出する目的で、アドレスリンクテーブルアドレス６２が備えられ、この例の場合は、アドレスは＆ＨＯＦＦＦＦＡＢＡＢであり、コンテンツファイルのアドレスである＆ＨＯＦＦＦＦＡＢＡＢから、アドレスリンクテーブル６５が記憶されている。
【００３０】
ファイル属性記憶領域６１には、図１０（ｂ）に示したようにスピーカ出力許可情報ＳＰや、本文データが記憶されている本文ブロックの先頭アドレスを示す本文ブロックアドレスや、オーディオデータが記憶されているオーディオブロックの先頭アドレスを示すオーディオブロックアドレス等が備えられている。この本文ブロックアドレスに基づいて本文データをたどっていくことで各本文データの先頭アドレスを求めることができる。また、オーディオブロックアドレスに基づいてオーディオデータをたどっていくことで、各オーディオデータの先頭アドレスを求めることができる。
【００３１】
次に、まず、情報閲覧装置が閉じた図１１の状態で着脱可能メモリとしてのメモリースティックをＭＳスロットと称される着脱メモリインターフェース１２に挿入する。次に、パワースイッチ１５をＯＮにする。これにより、図８のルーチンＲＴ１のパワーオンスタートとなり、次にステップＳＰ１においてＲＡＭ４３の初期化と各種の初期設定の確認が行われる。初期設定を変更するには、設定内容を表示させた後に、ファンクションスイッチ１４により設定したい項目を反転表示させることで行なう。このあと、図１２のように情報閲覧装置１を開くと、ステップＳＰ２において蓋開閉検出部５４がこれを検出し、ステップＳＰ３に進む。ステップＳＰ３においてディスプレイ４ａ，４ｂに初期画面が表示され、本の題名が羅列して表示される。そこで、ステップＳＰ４においてファンクションスイッチ１４により、ユーザが読みたい本の題名を選択することによってユーザが再生させたいコンテンツが選択される。
【００３２】
次に、ステップＳＰ５において不揮発性メモリ５０内のリジュームフラグ(再生再開位置情報)の有無によって前回読んだ際に読み終えたページが記録されているか否かが検索される。不揮発性メモリ(再生再開位置情報保持手段)５０内にリジュームフラグがない場合は、ステップＳＰ６のように先頭の本文ブロックアドレスがロードされ、不揮発性メモリ５０内にリジュームフラグが有る場合はステップＳＰ７のようにリジューム用ＲＡＭとして備えられた不揮発性メモリ５０から本文ブロックアドレスがロードされ、ステップＳＰ８のように先頭のページ又は前回読み終えたページの本文ブロックデータがロードされる。なお、ここでリジューム用ＲＡＭは、図７のＲＡＭ４３の一部が電池などによってバックアップされている領域を使用してもよい。あるいは、着脱可能メモリ４６の所定の領域に記憶されるようにしてもよい。あるいは、コンテンツ記憶用ストレージ５５に記憶されるようにしてもよい。そして、これらの不揮発性メモリ５０からロードされた本文ブロックアドレスに基づいてコンテンツ記憶用ストレージ５５からロードされた本文が、ステップＳＰ９のようにメインディスプレイとしてのディスプレイ４ａ，４ｂに表示される。
【００３３】
ユーザは、表示された部分を読み終えたら、送りスイッチ６の送り部１０ａを一回押す。このとき、例えば、左手の手の平に情報閲覧装置１を載せて読んでいる場合は、左手の親指が本体２ｂにおける送りスイッチ６の近傍を押さえているので、親指の位置を少しずらすことにより容易に押すことができる。つまり、右手を使うことなく左手に情報閲覧装置１を持ったままでページをめくることが可能であり、満員電車の中で身動きが全くできない状況下での読書も可能になる。送り部１０ａを押すことによりディスプレイ４ａ，４ｂに次の頁が表示され、上記の操作を繰り返すことで順次に読み進めることができる。なお、戻り部１０ｂを押せば前のページへ戻ることもできる。
【００３４】
ステップＳＰ１０において情報閲覧装置１の蓋が閉じられずに開いたままであれば、各種の設定をステップＳＰ１２にて行ない、ユーザの要求に応じてステップＳＰ８からステップＳＰ１２を繰り返して、ユーザが要求するページの表示を続けることが可能である。
【００３５】
次に、読むのに疲れてユーザが情報閲覧装置１を閉じると、ステップＳＰ１０において情報閲覧装置１の閉じられたことが検出される。ステップＳＰ１０において情報閲覧装置１の閉じられたことが検出された場合は、ステップＳＰ１４において読み上げモードに設定されているか否かを、不揮発性メモリ５０から所定のモード設定データを読み出すことによって判断する。読上モードが設定されていると判断されると、ステップＳＰ１５において、情報閲覧装置１が閉じられる直前に表示されていた本文に対する本文ブロックアドレスが確認される。さらにステップＳＰ１６において、ステップＳＰ１５で確認された本文ブロックアドレスにリンクしたオーディオブロックアドレスが算出される。この本文ブロックアドレスにリンクしたオーディオブロックアドレスの算出は、アドレスリンクテーブル６５に記憶されたアドレスリンク情報に基づいて行なわれる。ステップＳＰ１７においてディスプレイ４ａ，４ｂがＯＦＦになる一方、サブディスプレイ１７がＯＮになる。このときサブディスプレイ１７には、現在選択されているコンテンツのタイトルなどが表示されるようになっている。更に、図７における液晶表示素子４５としてのディスプレイ４ａ，４ｂおよび液晶ドライブ４４へのパワーコントロール５６からの電源の供給をＣＰＵ４１が停止し、消費電力を抑える。
【００３６】
ステップＳＰ１８では、不揮発性メモリ５０に記憶されている読み上げがプレイ状態か又はポーズ状態かを示す読み上げ状態フラグは、ポーズの状態に設定される。ステップＳＰ１９において、図５のスタート・ストップボタン１０ｃが押されたか否かを判断し、スタート・ストップボタン１０ｃが押されたと判断されると、ステップＳＰ２０においてその時点での読み上げ状態フラグがポーズ状態であるか否かが判断される。現在の読み上げ状態フラグがポーズ状態を示していると判断された場合にはステップＳＰ２１に進み、読み上げの対象となっていてオーディオブロックアドレスが求められているオーディオブロックデータがコンテンツ記憶用ストレージ５５からロードされ、次に読み上げるオーディオブロックデータのアドレスをオーディオブロックアドレスが示すように更新される。ステップＳＰ４０，ステップＳＰ４１については後述する。ステップＳＰ２２においては、ステップＳＰ２１で読み出されたオーディオブロックデータの読み上げが開始され、ステップＳＰ２３において不揮発性メモリ５０に記憶されている読み上げ状態フラグがプレイ状態に設定される。
【００３７】
一方、ステップＳＰ２０においてスタート・ストップボタン１０ｃが押されたときに読み上げ状態フラグがプレイ状態であると判断された場合には、ステップＳＰ２４に進んで読み上げが終了する。そして、ステップＳＰ２５において、不揮発性メモリ５０に記憶されている読み上げ状態フラグがポーズ状態に設定される。スタート・ストップボタン１０ｃは押されるたびにプレイ状態とポーズ状態とが交互にくり返されるようになっている。オーディオブロックデータが再生されているときに、ヘッドホンの端子をヘッドホン端子１８に差し込むと、読み上げの内容を聞くことができる。ステップＳＰ１９において、スタート・ストップボタン１０ｃが押されていないと判断された場合には、ステップＳＰ３６において各種処理を行なった後、ステップＳＰ１９へ戻り、処理を繰り返すようになっている。
【００３８】
ステップＳＰ２６において情報閲覧装置１が再び開かれたことが検出されると、ステップＳＰ２７において、情報閲覧装置１が開かれる直前に再生していたオーディオブロックデータに対応するオーディオブロックアドレスを求め、求められたオーディオブロックアドレスにリンクされた本文ブロックデータの記録場所を示す本文ブロックアドレスが算出される。このアドレスの算出は、先に説明したアドレスリンクテーブル６５に基づいて行なわれる。このあと、ステップＳＰ８に戻り、算出された本文ブロックアドレスに基づいて本文ブロックデータがロードされ、ステップＳＰ９において本文の内容が再びディスプレイ４ａ，４ｂに表示され、読上モードから表示モードに変更になる。
【００３９】
一方、図８のフローチャートの上部の初期の状態であって、ステップＳＰ２において情報閲覧装置１が閉じたままであることが検出された場合は、ステップ２９に進む。ステップＳＰ２９において、読み上げモードがＯＮになっているか否かが判断される。この場合、読み上げモードは、図５の出力スイッチ１９が押されたか否かによって判断することも可能になっている。ステップＳＰ２９において、読み上げモードがＯＮになっていないと判断された場合は、ルーチンＲＴ３に進んで終了処理となる。出力スイッチ１９が押されると、ステップＳＰ２９において読上モードがＯＮになったと判断し、ステップＳＰ３０へ進む。ステップＳＰ３０において、初期画面がサブディスプレイ１７に表示される。ステップＳＰ３１において本の選択が行なわれたのちに、ステップＳＰ３２において前回読み終えた際に読み終えたページが記録されているか否かが不揮発性メモリ５０に記憶されたリジュームフラグのＯＮ，ＯＦＦにより判断される。リジュームフラグがＯＮ、即ちリジューム再生が設定されていた場合は、ステップＳＰ３４に進み、不揮発性メモリ５０に記憶されているリジューム再生を開始するオーディオブロックデータが記録されている位置を示すオーディオブロックアドレスが読み出される。一方、ステップＳＰ３２においてリジュームフラグがＯＦＦ、即ちリジューム再生が設定されていなかった場合は、ステップＳＰ３３において選択されたコンテンツとしての本のオーディオブロックデータが記録されている位置を示す先頭のオーディオブロックアドレスがロードされる。そして、ステップＳＰ３３またはステップＳＰ３４において、ロードされたオーディオブロックアドレスを持って、前記と同じルートであるステップＳＰ１８へと移動する。なお、ステップＳＰ３４において、リジューム再生を開始するオーディオブロックアドレスを直接に不揮発性メモリ５０からロードしないで、不揮発性メモリ５０にはリジューム再生を開始する本文ブロックアドレスが記載されていて、読み出された本文ブロックアドレスをアドレスリンクテーブル６５に基づいてオーディオブロックアドレスを算出するようにしてもよい。
【００４０】
読上モードの状態から、情報閲覧装置１が閉じたままでステップＳＰ３５においてパワースイッチ１５のＯＦＦが検出された場合、情報閲覧装置１の電源の切断処理のためにステップＳＰ１１に移行する。ステップＳＰ３５においてパワースイッチ１５のＯＦＦが検出されなかった場合には、ステップＳＰ３６の各種処理へ移行して各種の処理が行なわれた後に、ステップＳＰ１９へ戻って処理を続行するようになっている。パワースイッチ１５によってＯＦＦにされた場合、ステップＳＰ１１においてリジュームフラグがＯＮとされているか否かが判断される。リジュームフラグは不揮発性メモリ５０に記憶される。リジュームフラグがＯＮ、つまり、次に再生を始めるときには、パワースイッチ１５による電源遮断処理を行なう直前に再生していた本文ブロックデータ又はオーディオブロックデータの次の位置から再生が開始されることになる。リジューム再生が設定されていた場合、ステップＳＰ１３の記憶処理ステップにおいて、再生の開始に必要となる本文ブロックデータのアドレスである本文ブロックアドレスが、リジューム用ＲＡＭとしての不揮発性メモリ５０へ記載されたのちに、ステップＲＴ２の電源遮断の処理が実行される。また、ステップ１１においてリジュームの設定がされなかった場合は、直接にステップＲＴ２へ移行して電源遮断処理が行なわれる。なお、このステップＳＰ１３の記憶処理においてロードされていた本文ブロックがコンテンツの途中のブロックであった場合には、現在ロードされている本文ブロックデータを不揮発性メモリ５０に記録してもよい。このようにすることによって、例えばコンテンツ記憶用ストレージ５５の起動時間が遅い場合には、予め不揮発性メモリ５０に記憶してあった本文ブロックデータを読み出して表示し、ユーザが読んでいる時間を利用してコンテンツ記憶用ストレージ５５が起動される時間とすることも可能である。また、ステップ１３においてロードされていた本文ブロックがコンテンツの最後のブロックであった場合には、本文データの不揮発性メモリ５０への記憶は必要ではないため、記憶の処理は省略される。
【００４１】
図１０に示すような各コンテンツ毎に備えることが可能とされているファイル属性記憶領域(出力可否情報記憶手段)６１に記憶されたコンテンツ再生プロパティに、「スピーカ再生禁止情報ＳＰ(オーディオ出力可否情報)」が設定されていることがある。「スピーカ再生禁止情報ＳＰ」が設定されていた場合、読み上げモードに設定されていた場合でも、情報閲覧装置１に取り付けられたスピーカ５３からの再生オーディオの出力が行なわれないように処理される。具体的には、図９においてステップＳＰ４０がステップＳＰ２１に続いて設けられ(前記説明を省略した部分)、ステップＳＰ４０において、ファイル属性記憶領域６１のコンテンツ再生プロパティの「スピーカ再生禁止情報ＳＰ」が設定されているか否かが判別される。この判別の結果、「スピーカ出力による再生が禁止されていない」と判断された場合には、ステップＳＰ２２へ進み、読み上げをスタートしてオーディオ再生がなされる。ステップＳＰ４０において「スピーカ再生が禁止されている」と判断された場合には、ステップＳＰ２４へ進み、読み上げのルーチンが終了される。これによって、例えばユーザの近傍にいる人に対してコンテンツの再生オーディオを聞かれることがなくなり、秘匿性が高まる。
【００４２】
また、ヘッドホンが情報閲覧装置１に接続されているか否かをヘッドホン検出部５２が検出可能とした場合は、ステップＳＰ４０に続いてステップＳＰ４１の処理がなされるようにすることができる。ステップＳＰ４１において「ヘッドホンがヘッドホン端子１８に接続されている」と検出された場合には、ステップＳＰ２２へ進み、読み上げが開始される。これに対し、ステップＳＰ４１において「ヘッドホンがヘッドホン端子１８に接続されていない」ことが、ヘッドホン検出部５２によって検出された場合は、ステップＳＰ２４へ進み、読み上げの終了処理となる。スピーカ５３が設けられていない情報閲覧装置であった場合は、ユーザの操作ミスなどの原因でヘッドホンが接続されていない状態で読み上げが開始されてしまうと、ユーザが気がつかないまま本文データの再生位置が進んでしまうだけでなく、不要な電力を消費してユーザの知らない間にバッテリがなくなった状態になってしまう。そのため、ユーザがヘッドホンをヘッドホン端子１８に接続しない限り読み上げが開始されないようにすることで、前記のような不都合を回避することができる。
【００４３】
更に、ステップＳＰ２１に続けてステップＳＰ４０を設けるとともに、ステップＳＰ４０において「スピーカ５３からの再生オーディオの出力を禁止」する設定をした場合は、ステップＳＰ４１にてヘッドホンの接続状態を判定し、ステップＳＰ４１の判定の結果に基づいてステップＳＰ２２に進むか、又はステップＳＰ２４へ進むかを決定するようにしてもよい。このようにすることで、スピーカ出力が禁止されていることがステップＳＰ４０で検出され、かつステップＳＰ４１においてヘッドホンが情報閲覧装置１に接続されていなかつた場合には、スピーカ５３へ出力されないようにするため、ステップＳＰ２４へ進んで読み上げが終了する。この場合、ステップＳＰ４１においてヘッドホンの接続がされていることが判定されれば、スピーカからの再生出力が禁止されていた場合でもヘッドホンから再生オーディオを聞くことが可能となり、より好適となる。
【００４４】
また、ステップＳＰ４０又はステップＳＰ４１においてステップＳＰ２４へ進む判定がされた場合、ステップＳＰ２４，ステップＳＰ２５へと進み、ステップＳＰ３５においてパワーキーの操作の有無を判定するが、この状態で端末が開かれる状態を待つと共に電源キーの操作を待つのではなく、以下のようにしてもよい。即ち、ステップＳＰ３５において読み上げ状態フラグがポーズ状態とされた後に、パワーコントロール５６に対して装置の電源がＯＦＦとなるように制御する。このようにすることで内部電池５８の不要な電力消費を抑えることが可能となり、携帯型の装置としては更に好適な構成とすることができる。
【００４５】
パーソナルコンピュータ等に情報閲覧装置１を接続してコンテンツをダウンロードしてコンテンツ記憶用ストレージ５５に書き込んだり情報閲覧装置１を充電したりする場合は、図１３のようにして行う。即ち、パーソナルコンピュータあるいは電源にクレイドール１６を接続し、このクレイドール１６に情報閲覧装置１を装着する。このとき、情報閲覧装置１における接続端子１３の部分がクレイドール１６に接続される。
【００４６】
（ｂ）実施の形態２
次に、本発明をカメラ付携帯電話器に適用した場合の実施の形態２について説明する。
【００４７】
情報閲覧装置の斜視図を図１４に示す。本体２１に対して本体２２がヒンジ２３を介して回動自在に設けられている。本体２２には液晶からなるディスプレイ２４が設けられ、電波の受信状態，電池の残量，登録された電話番号，発信・着信履歴，電子メールの内容，簡易ホームページ，写真等が表示される。
【００４８】
本体には「０」〜「９」の数字キー，発呼キー，リダイヤルキー，終話及び電源キー，クリアキー，電子メールキー等の操作キー２５が設けられており、通話中の相手の声を録音するためのメモボタン２６と、自分の声を録音するマイクロフォン２７とが設けられている。ディスプレイ２４に表示された電話番号リスト，電子メールのスクロール動作，簡易ホームページのページ捲り動作，画像の送り動作等を行うためのジョグダイヤル２８が、本体２１の表面から僅かに突出した状態で設けられている。
【００４９】
このほか、本体２２の上部にはカメラ部２９が設けられている。カメラ部２９は略１８０度の範囲で回動自在に設けられている。カメラ部２９にはＣＣＤカメラ３０が設けられており、カメラ部２９を１８０度回動させると図１５に示すようにカメラ部２９の裏側に設けられたスピーカ３１が前面側を向き、携帯電話として会話することができる。３６はアンテナである。
【００５０】
次に、実施の形態１と対応する部分について説明する。実施の形態１のディスプレイ４ａ，４ｂにはディスプレイ２４が対応し、サブディスプレイ１７には本体２２の裏側の図示しないサブディスプレイが対応する。パワースイッチ１５にはパワースイッチ３２が、ファンクションスイッチ１４にはファンクションスイッチ３３が、送りスイッチ６にはジョグダイヤル２８が対応する。ジョグダイヤル２８は図６に示すジョグダイヤル１１と同じ構成になっている。着脱メモリインターフェース１２，メモリースティックが着脱メモリインターフェース３４，メモリースティック３５に対応し、接続端子１３，ヘッドホン端子１８は図示しない接続端子，ヘッドホン端子に対応する。
【００５１】
本の内容表示と読上とに関する作用については実施の形態１と同じなので、説明を省略する。
【００５２】
なお、実施の形態１においては、表示部として見開きとなるようにディスプレイ４ａとディスプレイ４ｂとを設けるようにされているが、一方の表示部のみでも表示に問題がない場合は、他方の表示部を表示部の保護カバーとし、保護カバーの開閉によって読み上げを行なうようにしてもよい。
【００５３】
更に、実施の形態１においてコンテンツの読み上げデータに関しては本文ブロックデータとは別に用意されたオーディオブロックデータを用いるようにされているが、Ｔｅｘｔ  ｔｏ  Ｓｐｅａｃｈブロックを設け、本文データから読み上げ用オーディオデータを逐次生成するようにしてもよい。
【００５４】
【発明の効果】
本発明によれば、読むのが疲れた場合には聞くことによって本の内容を理解することができる。
【図面の簡単な説明】
【図１】本発明による情報閲覧装置の実施の形態１に係り、（ａ）は平面図、（ｂ）は正面図、（ｃ）は底面図、（ｄ）は左側面図。
【図２】本発明による情報閲覧装置の実施の形態１に係り、送りスイッチの分解斜視図。
【図３】本発明による情報閲覧装置の実施の形態１に係り、送りスイッチの構造を作用と共に示す底面図。
【図４】送りスイッチを情報閲覧装置の外側へ向けた場合の作用説明図。
【図５】送りスイッチの詳細図。
【図６】送りスイッチの他の実施例を示す詳細図。
【図７】本発明による情報閲覧装置の実施の形態１を示す構成図。
【図８】本発明による情報閲覧装置の実施の形態１の作用を示すフローチャート。
【図９】本発明による情報閲覧装置の実施の形態１の作用を示すフローチャート。
【図１０】本発明による情報閲覧装置の実施の形態１に係り、コンテンツファイル内のデータ配置マップ図。
【図１１】本発明による情報閲覧装置の実施の形態１に係り、情報閲覧装置を閉じた状態を示す斜視図。
【図１２】本発明による情報閲覧装置の実施の形態１に係り、情報閲覧装置を開いた状態を示す斜視図。
【図１３】本発明による情報閲覧装置の実施の形態１に係り、情報閲覧装置を充電等するための説明図。
【図１４】本発明による情報閲覧装置の実施の形態２を示す斜視図。
【図１５】本発明による情報閲覧装置の実施の形態２の一部を示す斜視図。
【図１６】従来の情報閲覧装置に係り、（ａ）は平面図、（ｂ）は正面図、（ｃ）は開いた状態の正面図。
【符号の説明】
１…情報閲覧装置
２ａ，２ｂ…本体
４ａ，４ｂ…ディスプレイ
【図１】
0004470343.tif 000002
【図２】
0004470343.tif 000003
【図３】
0004470343.tif 000004
【図４】
0004470343.tif 000005
【図５】
0004470343.tif 000006
【図６】
0004470343.tif 000007
【図７】
0004470343.tif 000008
【図８】
0004470343.tif 000009
【図９】
0004470343.tif 000010
【図１０】
0004470343.tif 000011
【図１１】
0004470343.tif 000012
【図１２】
0004470343.tif 000013
【図１３】
0004470343.tif 000014
【図１４】
0004470343.tif 000015
【図１５】
0004470343.tif 000016
【図１６】
0004470343.tif 000017